(57)【要約】【課題】保護継電装置の立会試験を、現場に関係者が一堂に参集しないでも、迅速で効率のよい試験をおこなうことのできる保護継電装置の試験システムを提供すること。【解決手段】保護継電装置４の試験をおこなう試験地１と離間した顧客側２に、試験地１で試験装置５とパソコン８、９とを中継している中継手段７に、ルータ１３とモデム１２を介して、試験地１でおこなわれている試験の状態や試験データがリアルタイムで送られてくる端末装置３２、３３、３４を配置する。【選択図】  図１
2004343828.tif 000002
【特許請求の範囲】
【請求項１】
試験地側に、被試験対象となる保護継電装置に対して試験を行うための電圧、電流を与える電流・電圧発生手段と、前記保護継電装置から整定値や単体動作値、トリップや投入指令、開閉器の状態、基準信号や事故発生信号を取込んで前記電圧・電流発生手段を制御する制御手段と、この制御手段に接続され、試験を行うに必要な各種のデータを前記制御手段に入力したり、前記制御手段より試験データを取込んで試験結果を表示するためのデータを処理するパソコンとを配置した保護継電装置の試験システムであって、
前記試験地と離間した顧客側には、前記試験地側で前記制御手段と前記パソコンとを中継している中継手段に、ネットワーク通信網を介して前記試験地でおこなわれている前記保護継電装置に関する試験の状態や試験データが送られてくる端末装置が接続されて配置されていることを特徴とする保護継電装置の試験システム。
【請求項２】
前記端末装置として、前記試験地側から前記ネットワーク通信網を介して伝送された試験データを受診する操作用パソコン、映像音声データを処理する映像音声処理用パソコンおよびプロジェクタが配置されていることを特徴とする請求項１記載の保護継電装置の試験システム。
【請求項３】
前記保護継電装置の試験データは、前記ネットワーク通信網を介してリアルタイムで前記プロジェクタにより可視像化されていることを特徴とする請求項２記載の保護継電装置の試験システム。
【発明の詳細な説明】
【０００１】
【発明の属する技術分野】
本発明は、従来は関係者が現場に参集しておこなわれていた保護継電装置の立会試験を、関係者が現場に参集しなくても、ネットワーク通信網を用いて実行することができる保護継電装置の試験システムに関する。
【０００２】
【従来の技術】
電力系統を保護するデジタル形保護継電装置（以下、単に保護継電装置と言う）の機能は、送電線に流れる電流や電圧等の電気量を検出し、この電気量をデジタル信号に変換した後、演算を実行し、その演算結果をもとに予め整定された動作整定値との比較により事故の有無を判定している。判定結果によって事故と判定された場合は、遮断器にトリップ指令を出す。また、事故が復旧し、投入準備条件が成立したときは遮断器に投入指令を出すようにしている。
【０００３】
これらの保護継電装置を送電系統の保護端子に設置するに際しては、設置した後に保護継電装置が正常に機能するか否かを試験する必要がある。このため、事前に関係者が工場等に参集して試験装置により立会試験をおこなっていた。立会試験では、保護継電装置の整定値の調整や各種の模擬試験を実施して、それにより得られるデータをチェックして、系統の故障時における誤・不動作や、系統に故障がないときの誤動作を防止することを確認している。それにより、保護継電装置の信頼性の向上を図っている。
【０００４】
図４は、保護継電装置の試験の概要を示すブロック図である。被試験対象となる保護継電装置５１は、この保護継電装置５１に試験を行うための電圧、電流を与える電流・電圧増幅部（アンプ）５２と模擬送電設備（模擬送設備）制御ユニット５３に接続されている。模擬送電線設備５３は、模式的にはインターフェイス装置５４と主回路装置５５を具えている。この模擬送電線設備５３は、パソコン５６と接続して各種の入力データを取込み、かつ、保護継電装置５１から整定値や単体動作値、トリップや投入指令開閉器の状態、基準信号や事故発生信号を取込んで電流・電圧増幅部５２を制御している。これらは、通常、図示しない同一の筐体の内部に収容されている。
【０００５】
【発明が解決しようとする課題】
しかしながら、立会試験に際して上述のように立会試験場に多数の関係者が参集して、試験器材を持込んで、保護継電装置の機能試験を行うことは、試験時間が長くなるばかりでなく、その準備や参集者の日程の調整に多くの手間がさかれていた。
【０００６】
また、試験中に得られるデータ処理や整理は、各種の試験項目が多くなればなるほど多くの手間と時間を要するという問題がある。
【０００７】
また、試験データを紙でプリントアウトしていたため、大量の紙の資料作成が必要であり、それらに対する不具合の解消が望まれていた。
【０００８】
本発明はこれらの事情に基づいてなされたもので、保護継電装置の立会試験を、現場に関係者が一堂に参集しないでも、迅速で効率のよい試験をおこなうことのできる保護継電装置の試験システムを提供することを目的としている。
【０００９】
【課題を解決するための手段】
本発明によれば、試験地側に、被試験対象となる保護継電装置に対して試験を行うための電圧、電流を与える電流・電圧発生手段と、前記保護継電装置から整定値や単体動作値、トリップや投入指令、開閉器の状態、基準信号や事故発生信号を取込んで前記電圧・電流発生手段を制御する制御手段と、この制御手段に接続され、試験を行うに必要な各種のデータを前記制御手段に入力したり、前記制御手段より試験データを取込んで試験結果を表示するためのデータを処理するパソコンとを配置した保護継電装置の試験システムであって、
前記試験地と離間した顧客側には、前記試験地側で前記制御手段と前記パソコンとを中継している中継手段に、ネットワーク通信網を介して前記試験地でおこなわれている前記保護継電装置に関する試験の状態や試験データが送られてくる端末装置が接続されて配置されていることを特徴とする保護継電装置の試験システムである。
【００１０】
また本発明によれば、前記端末装置として、前記試験地側から前記ネットワーク通信網を介して伝送された試験データを受診する操作用パソコン、映像音声データを処理する映像音声処理用パソコンおよびプロジェクタが配置されていることを特徴とする保護継電装置の試験システムである。
【００１１】
また本発明によれば、前記保護継電装置の試験データは、前記ネットワーク通信網を介してリアルタイムで前記プロジェクタにより可視像化されていることを特徴とする保護継電装置の試験システムである。
【００１２】
【発明の実施の形態】
以下、本発明の実施の形態を図面を参照して説明する。
【００１３】
図１は、本発明の保護継電装置の試験システムの一例を示すブロック図である。本発明の保護継電装置の試験システムは、大別すると、工場側１（実線で囲んだブロックＡの内部）と顧客側２（実線で囲んだブロックＢの内部）とに分かれ、双方がネットワーク通信網３で接続されている。以下、工場側１と顧客側２についてそれぞれ分けて説明する。
【００１４】
工場側１の構成は、被試験対象となる保護継電装置４には、模擬送電線設備（制御手段）５が接続されている。また、保護継電装置４には保護継電装置４へ電圧電流を入力する電量電圧アンプ６を介して模擬送電線設備５が接続されている。模擬送電線設備５には通信回線用のＨＵＢ７（中継手段）が接続され、このＨＵＢ７から分岐した回線に、模擬送設備制御用ＰＣ８、保護継電装置情報表示用ＰＣ９、映像音声用ＰＣ１０、データファイルサーバ１１、および、モデム１２に接続したルータ１３がそれぞれ接続されている。なお、映像音声用ＰＣ１０には、入力用のカメラ１４とマイク１５が接続されている。なお、保護継電装置４と模擬送電線設備５とはＷｅｂブラウザ対応したネットワークで接続されている。
【００１５】
模擬送電線設備５は、保護継電装置４と接続しているインターフェイス装置であり、保護継電装置４よりトリップ指令又はクローズ指令が入力されるる操作指令入力回路（インターフェイス装置）２１、このインターフェイス装置２１と電圧電流アンプ６とに接続している主回路装置２３を具えている。
【００１６】
インターフェイス装置２１は、主回路装置２３と保護継電装置４の中継部分であり、主回路装置２３の内部の、各後述する模擬遮断器の制御や、事故点の選択・制御・線路インピーダンス、接地インピーダンスおよび電源インピーダンス等の定数を設定する。
【００１７】
主回路装置２３の一例は、図２に回路図を示すように、送電線の事故点Ｆｎ（ｎはそれぞれの数値）が線路インピーダンスＺＬごとに直列に接続され、その両端側に電源に接続された模擬遮断器ＣＢが接続されている回路が並列に設けられている。なお、回路図のシンボル記号で、ＺＢＡおよびＺＢＢは電源インピーダンス、ＲＹは保護リレー、ＰＴおよびＣＴはアンプ、ＺＬは線路インピーダンス、ＣＢは模擬遮断器、Ｆは送電線の事故点、ＺＮＡ、ＺＮＢは接地インピーダンスを示している。
【００１８】
また、主回路装置２３には、図３にブロック図を示すような付属装置が接続されている。すなわち、保護継電装置４よりトリップ指令又はクローズ指令が入力される操作指令入力回路（インターフェイス装置）２１より操作指令入力電流が入力されるチャタリング防止回路２４、このチャタリング防止回路２４より入力されるトリップ又はクローズ操作指令の動作遅延時間を設定する動作遅延時間設定回路２５、この動作遅延時間設定回路２５で設定された動作遅延時間だけトリップ又はクローズ操作指令を保持するフリップフロップ回路２６、このフリップフロップ回路２６に保持されたトリップ又はクローズ操作指令による応動出力を保護継電装置４に出力する応動出力回路２７及び、模擬送設備制御用ＰＣ８および保護継電装置情報表示用ＰＣ９との間で情報を入出力する機能を有し、かつ、操作指令入力回路２１、動作遅延時間設定回路２５、フリップフロップ回路２６及び応動出力回路２７に対して、各種の指令信号を入出力するパソコンインターフェースを有する操作パネル２８を備えている。
【００１９】
なお、応動出力回路２７はここでは図示しないが、操作指令入力回路２１と同様にＦＥＴ素子を用いた回路構成となっている。この応動出力回路２７は保護継電装置４から整定値や単体動作値、トリップや投入指令、開閉器の状態、基準信号や事故発生信号を取込んで電圧・電流アンプ６を制御している。
【００２０】
操作パネル２８は、操作スイッチ、表示用ＬＥＤ，トリップ指令遅延時間設定スイッチ、クローズ指令遅延時間設定スイッチ、入力モード、遅延時間単位設定スイッチ等を備え、操作指令入力回路２１の操作指令入力電流の設定、動作遅延時間設定回路２５の動作遅延時間の設定、及びフロップフロップ回路２６の状態設定が手動操作により行うことができると共に、模擬送設備制御用ＰＣ８からの設定情報をもとに設定可能になっている。
【００２１】
一方、顧客側２には、通信回線用のＨＵＢ３１の分岐にそれぞれ端末装置として、操作用ＰＣ３２、映像音声処理用ＰＣ３３およびプロジェクタ３４が、また、モデム１２ａに接続したルータ１３ａも同様にＨＵＢ３１に接続されている。モデム１２ａはネットワーク通信網３に接続されている。
【００２２】
これらの構成による試験について説明すると、工場側１と顧客側２は、それぞれの関係者が、それぞれの場所に別れて配備した状態で試験を開始する。工場側１でおこなわれる試験自体は従来の試験と同様であるが、それらは、工場と離間した位置である顧客側２で、動作の内容やデータが逐次にプロジェクタ３４に表示されている。
【００２３】
すなわち、工場側１では、保護継電装置４を試験するにあたって、模擬送電線設備５の操作パネル２８より操作指令入力回路２１の操作指令入力電流の設定、動作遅延時間設定回路２５の動作遅延時間の設定及びフロップフロップ回路２６の状態設定がそれぞれ行われる。
【００２４】
そのように設定された状態にあるとき、保護継電装置４より模擬送電線設備５にトリップ指令又はクローズ指令が入力すると、まず操作指令入力回路２１ではトリップ指令又はクローズ指令を分圧し絶縁した指令信号としてチャタリング防止回路２４に与える。
【００２５】
また、操作パネル１８又は模擬送設備制御用ＰＣ８からのデータの転送により操作指令入力回路２１の操作指令入力電流の設定、動作遅延時間設定回路２５の動作遅延時間の設定及びフロップフロップ回路２６の状態設定を適宜行なうことにより、種々の機能試験が実施ができる。
【００２６】
また、操作パネル２８はパソコンインターフェィスを有しており、模擬送設備制御用ＰＣ８との間で情報の転送が可能になっているので、模擬送設備制御用ＰＣ８から模擬送電線設備５の各回路に対する設定が可能となると共に、模擬送電線設備５の動作状態をパソコン１９側に転送して監視、記録することができる。また、試験データは、データファイルサーバ１１で処理し、ネットワーク通信網３を介して操作用ＰＣ３２に、リアルタイムでデータシートが転送される。
【００２７】
これらの状態は、ネットワーク通信網３を介して顧客側２のプロジェクタ３４に投影され、顧客側２の関係者は、それらの状況を逐次確認することができる。また、工場側１へは、操作用ＰＣ３２から必要に応じて要望をアクセスすることができる。
【００２８】
以上に説明したように、上述の実施の形態によれば、保護継電装置の立会試験に際して、顧客側の関係者がわざわざ工場まで来なくても、ネットワーク通信網を用いることにより円滑に効率よく試験をおこなうことができる。
【００２９】
また、試験データを紙でプリントアウトしなくても、オンラインで随時試験データを確認することができる。
【００３０】
なお、上述の試験（立会試験）は、通常におこなわれている立会試験のみならず、新製品の動作のデモンストレーション等も意味している。
【００３１】
【発明の効果】
本発明によれば、保護継電装置の立会試験を、現場に関係者が一堂に参集しないでも、迅速で効率のよい試験をおこなうことができる。
【図面の簡単な説明】
【図１】本発明の保護継電装置の試験システムの一例を示すブロック図。
【図２】主回路装置の一例を示す回路図。
【図３】模擬遮断器のブロック図。
【図４】従来の保護継電装置の試験を示すブロック図。
【符号の説明】
１…工場側、２…顧客側、３…ネットワーク通信網、４…保護継電装置、５…模擬遮断器、６…電流電圧アンプ、８…模擬送設備制御用ＰＣ、９…保護継電装置情報表示用ＰＣ、１０…映像音声用ＰＣ、１１…データファイル、２２…インターフェイス装置、２３…模擬送設備、３２…操作用ＰＣ、３３…映像・音声処理用ＰＣ、３４…プロジェクタ
【図１】
2004343828.tif 000003
【図２】
2004343828.tif 000004
【図３】
2004343828.tif 000005
【図４】
2004343828.tif 000006